(57)【要約】 【課題】  スイッチングレギュレータの電力損失の抑制が可能でしかも回路規模が小さい電流方向検出回路の提供。【解決手段】  この電流方向検出回路１６は、接地側出力トランジスタ１２の制御端及び出力端にそれぞれ制御端及び出力端が接続されたモニタ用トランジスタ２０と、モニタ用トランジスタ２０の入力端に一端が接続され、他端が接地されたインピーダンス素子２１と、第１及び第２の定電流源２２、２３と、第１の定電流源２２と接地電位の間に介装されたダイオード接続のリファレンス用トランジスタ２４と、第２の定電流源２３とインピーダンス素子２１の間に介装されリファレンス用トランジスタ２４の制御端に制御端が接続されたセンス用トランジスタ２５と、を備える。【選択図】  図１
2005237099.tif 000002
【特許請求の範囲】
【請求項１】
接地された入力端から出力端に電流を流す接地側出力トランジスタに、逆方向電流が流れたときそれを検出する電流方向検出回路であって、
接地側出力トランジスタの制御端及び出力端にそれぞれ制御端及び出力端が接続されたモニタ用トランジスタと、
モニタ用トランジスタの入力端に一端が接続され、他端が接地されたインピーダンス素子と、
第１及び第２の定電流源と、
第１の定電流源と接地電位の間に介装されたダイオード接続のリファレンス用トランジスタと、
第２の定電流源とインピーダンス素子の間に介装されリファレンス用トランジスタの制御端に制御端が接続されたセンス用トランジスタと、
を備え、
第２の定電流源とセンス用トランジスタの間の電圧を制御信号として出力して接地側出力トランジスタとモニタ用トランジスタを制御することを特徴とする電流方向検出回路。
【請求項２】
入力電源と接地電位の間に直列に設けられた電源側出力トランジスタ及び接地側出力トランジスタと、電源側出力トランジスタと接地側出力トランジスタの間に入力端が接続され、所定のＤＣ電圧を出力する出力端子に出力端が接続された平滑用回路と、出力端子の電圧をフィードバック入力して所定のＤＣ電圧を維持すべく電源側出力トランジスタと接地側出力トランジスタをオンオフ制御するレギュレータ制御回路と、を備えるスイッチングレギュレータにおいて、
請求項１に記載の電流方向検出回路と、
レギュレータ制御回路の制御信号によりオンさせた後、電流方向検出回路の制御信号が一旦立ち上がると継続してオフさせるように接地側出力トランジスタを制御する接地側出力トランジスタ制御回路と、
を更に備えることを特徴とするスイッチングレギュレータ。
【発明の詳細な説明】
【技術分野】
【０００１】
本発明は、接地側出力トランジスタに逆方向電流が流れた場合に、これを検出することができる電流方向検出回路及びその電流方向検出回路を備えたスイッチングレギュレータに関する。
【背景技術】
【０００２】
スイッチングレギュレータは、電源を入力する端子と負荷に接続され所定のＤＣ電圧を出力する端子の間にメインスイッチング素子である電源側出力トランジスタを設け、その電源側出力トランジスタをオンオフ（道通・非導通）することにより所定のＤＣ電圧を維持する。このものは、小型で高い電力効率を達成できるので広く使用されているが、更に電力効率を向上させるものとして、同期整流用スイッチング素子である接地側出力トランジスタを付設した同期整流型のスイッチングレギュレータが近年使用されて来ている（例えば特許文献１）。
【０００３】
図３に従来の同期整流型のスイッチングレギュレータの構成を示す。このスイッチングレギュレータ１０１は、入力電源ＶＣＣと接地電位の間に直列に設けられたＰ型ＭＯＳトランジスタである電源側出力トランジスタ１１１及びＮ型ＭＯＳトランジスタである接地側出力トランジスタ１１２と、両トランジスタ１１１、１１２の間に入力端が、出力端子ＯＵＴに出力端が、それぞれ接続された平滑用回路１１３と、出力端子ＯＵＴの電圧をフィードバック入力して所定のＤＣ電圧を維持すべく、電源側出力トランジスタ１１１及び接地側出力トランジスタ１１２をオンオフ制御する制御信号Ａ及び制御信号Ｂを出力するレギュレータ制御回路１１５と、接地側出力トランジスタ１１２に逆方向電流が流れたときそれを検出して制御信号Ｆを出力する電流方向検出回路１１６と、制御信号Ｂと制御信号Ｆにより接地側出力トランジスタ１１２の制御のための出力信号Ｃを出力する接地側出力トランジスタ制御回路１１７と、を備える。ここで、出力端子ＯＵＴには外部で負荷１１４が接続されている。また、平滑用回路１１３は、電源側出力トランジスタ１１１と接地側出力トランジスタ１１２の接続点（節点Ｄ）に一端が、出力端子ＯＵＴに他端が接続された平滑用コイル１４０と、出力端子ＯＵＴに一端が接続され他端が接地された平滑用コンデンサ１４１と、から構成される。また、レギュレータ制御回路１１５は、出力する制御信号Ａ及び制御信号Ｂがほぼ同一波形である。
【０００４】
電流方向検出回路１１６は、節点Ｄの電圧を反転入力端子に、接地電位を非反転入力端子にそれぞれ入力して比較するコンパレータ１２０により構成される。また、接地側出力トランジスタ制御回路１１７は、レギュレータ制御回路１１５の制御信号Ｂと電流方向検出回路１１６の制御信号Ｆを入力するＡＮＤ回路１３０と、その電流能力を上げて出力するバッファ１３１と、から構成される。
【０００５】
次に、スイッチングレギュレータ１０１の動作を図４に基づいて説明する。同図において、ＶＢはレギュレータ制御回路１１５の制御信号Ｂの電圧、ＶＣは接地側出力トランジスタ制御回路１１７の出力信号Ｃの電圧、ＩＯは接地側出力トランジスタ１１２に流れる電流、ＶＤは節点Ｄの電圧である。なお、同図は負荷１１４が軽い場合の波形であり、負荷１１４が重い場合は省略している。
【０００６】
制御信号Ｂがローレベルの期間では、出力信号Ｃはローレベルであって接地側出力トランジスタ１１２をオフさせる。また、制御信号Ａもローレベルであるので電源側出力トランジスタ１１１はオンしている。従って、接地側出力トランジスタ１１２に流れる電流ＩＯはゼロであり、節点Ｄの電圧ＶＤはハイレベルになっている。
【０００７】
制御信号Ｂがハイレベルになると、制御信号Ａもハイレベルになるので、電源側出力トランジスタ１１１はオフする。そして、節点Ｄの電圧ＶＤが降下して接地電位よりも下がると、制御信号Ｆはハイレベルとなって接地側出力トランジスタ１１２はオンする。これにより、先ず接地電位から節点Ｄに向けて正方向の電流ＩＯが流れる。このとき、節点Ｄの電圧ＶＤは、この電流ＩＯに接地側出力トランジスタ１２のオン抵抗を掛けた電圧分だけ接地電位より下がる。
【０００８】
その後、電流ＩＯは徐々に直線的に減少し、これに応じて節点Ｄの負電圧ＶＤも徐々に直線的に上昇する。ここで、負荷１１４が重い場合、電流ＩＯは減少し始める前の初期電流値が大きいために、それが逆方向電流になるまでにハイレベルの期間が経過して制御信号Ｂはローレベルに戻る（図示せず）。これに対し、負荷１１４が軽い場合は、制御信号Ｂのハイレベルの期間が経過するまでに電流ＩＯは逆方向電流になる。この逆方向電流は、接地電位に向かって出て行く電流であるので電力損失となり、スイッチングレギュレータ１０１の電力効率はその分だけ低くなる。そこで、逆方向電流になると、電流方向検出回路１１６はそれを検出してローレベルの制御信号Ｆを出力し、接地側出力トランジスタ１１２を強制的にオフして逆方向電流が流れるのを抑制しているのである。
【０００９】
【特許文献１】特開２０００−９２８２４号公報
【発明の開示】
【発明が解決しようとする課題】
【００１０】
このように、負荷が軽い場合、電流ＩＯが逆方向電流になると接地側出力トランジスタ１１２を強制的にオフして電力効率を高めることができる。そこで、本願発明者は、更なる電力効率の向上を検討した結果、電流方向検出回路１１６が接地側出力トランジスタ１１２の逆方向電流を検出してからそれをオフするまでには一定の遅延（図４における期間ｔ０）があり、この遅延により、逆方向電流はしばらくの間流れることに着目した。また、節点Ｄの電圧ＶＤは、電源電圧から接地電位以下まで広い変動幅を有する。従って、このような変動幅の広い電圧を入力電圧とする電流方向検出回路１１６のコンパレータ１２０は、変動幅の狭い電圧を入力電圧とする通常のコンパレータに比べ回路規模が大きなものになる。
【００１１】
また、このスイッチングレギュレータ１０１では、図４に示すように、接地側出力トランジスタ１１２が強制的にオフになった後に発生する次第に減衰する電圧の揺れ、すなわち、リンギングにより、節点Ｄの電圧ＶＤが接地電位以下になれば、電流方向検出回路１１６が一瞬動作し、無駄な電力を消費したりノイズを発生させたりするおそれも有る。
【００１２】
本発明は、以上の事由に鑑みてなされたもので、その目的とするところは、スイッチングレギュレータなどに用いてその電力損失の更なる抑制が可能となり、しかも回路規模が小さい電流方向検出回路、及びそれを備えることにより電力損失が抑制され、かつ逆方向電流検出後に電流方向検出回路が再び動作することのないスイッチングレギュレータを提供することにある。
【課題を解決するための手段】
【００１３】
上記の課題を解決するために、請求項１に係る電流方向検出回路は、接地された入力端から出力端に電流を流す接地側出力トランジスタに、逆方向電流が流れたときそれを検出する電流方向検出回路であって、接地側出力トランジスタの制御端及び出力端にそれぞれ制御端及び出力端が接続されたモニタ用トランジスタと、モニタ用トランジスタの入力端に一端が接続され、他端が接地されたインピーダンス素子と、第１及び第２の定電流源と、  第１の定電流源と接地電位の間に介装されたダイオード接続のリファレンス用トランジスタと、第２の定電流源とインピーダンス素子の間に介装されリファレンス用トランジスタの制御端に制御端が接続されたセンス用トランジスタと、を備え、第２の定電流源とセンス用トランジスタの間の電圧を制御信号として出力して接地側出力トランジスタとモニタ用トランジスタを制御することを特徴とする。
【００１４】
請求項２に係るスイッチングレギュレータは、入力電源と接地電位の間に直列に設けられた電源側出力トランジスタ及び接地側出力トランジスタと、電源側出力トランジスタと接地側出力トランジスタの間に入力端が接続され、所定のＤＣ電圧を出力する出力端子に出力端が接続された平滑用回路と、出力端子の電圧をフィードバック入力して所定のＤＣ電圧を維持すべく電源側出力トランジスタと接地側出力トランジスタをオンオフ制御するレギュレータ制御回路と、を備えるスイッチングレギュレータにおいて、請求項１に記載の電流方向検出回路と、レギュレータ制御回路の制御信号によりオンさせた後、電流方向検出回路の制御信号が一旦立ち上がると継続してオフさせるように接地側出力トランジスタを制御する接地側出力トランジスタ制御回路と、を更に備えることを特徴とする。
【発明の効果】
【００１５】
本発明の電流方向検出回路は、上記のモニタ用トランジスタと、インピーダンス素子と、第１及び第２の定電流源と、リファレンス用トランジスタと、センス用トランジスタと、を有して構成されることにより、接地側出力トランジスタに流れる電流が逆方向になる少し前の状態を検出して制御信号を出力させられ、スイッチングレギュレータなどに用いてその電力損失の更なる抑制が可能となり、しかも回路規模を小さくすることができる。また、本発明のスイッチングレギュレータは、逆方向電流検出後に電流方向検出回路が再び動作することがないので、リンギングによる無駄な電力の消費やノイズ発生を抑制することができる。
【発明を実施するための最良の形態】
【００１６】
以下、本発明の最良の実施形態を図面を参照しながら説明する。図１は本発明の実施形態である電流方向検出回路及びそれを備えたスイッチングレギュレータの回路図である。  このスイッチングレギュレータ１は、入力電源ＶＣＣと接地電位の間に直列に設けられたＰ型ＭＯＳトランジスタである電源側出力トランジスタ１１及びＮ型ＭＯＳトランジスタである接地側出力トランジスタ１２と、両トランジスタ１１、１２の間に入力端が、出力端子ＯＵＴに出力端が、それぞれ接続された平滑用回路１３と、出力端子ＯＵＴの電圧をフィードバック入力して所定のＤＣ電圧を維持すべく、電源側出力トランジスタ１１及び接地側出力トランジスタ１２をオンオフ制御する制御信号Ａ及び制御信号Ｂを出力するレギュレータ制御回路１５と、接地側出力トランジスタ１２に逆方向電流が流れたときそれを検出して制御信号Ｆを出力する電流方向検出回路１６と、制御信号Ｂと制御信号Ｆにより接地側出力トランジスタ１２を制御する出力信号Ｃを出力する接地側出力トランジスタ制御回路１７と、を備える。ここで、出力端子ＯＵＴには外部で負荷１４が接続されている。また、平滑用回路１３は、電源側出力トランジスタ１１と接地側出力トランジスタ１２の接続点（節点Ｄ）に一端が、出力端子ＯＵＴに他端が接続された平滑用コイル４０と、出力端子ＯＵＴに一端が接続され他端が接地された平滑用コンデンサ４１と、から構成される。また、レギュレータ制御回路１５は、出力する制御信号Ａ及び制御信号Ｂがほぼ同一波形である。
【００１７】
電流方向検出回路１６は、接地側出力トランジスタ１２のゲート（制御端）及びドレイン（出力端）にそれぞれゲート（制御端）及びドレイン（出力端）が接続されたＮ型ＭＯＳトランジスタであるモニタ用トランジスタ２０と、モニタ用トランジスタ２０のソース（入力端）に一端が接続され、他端が接地されたインピーダンス素子２１と、共にＰ型ＭＯＳトランジスタで構成される第１及び第２の定電流源２２、２３と、第１の定電流源２２と接地電位の間に介装されたダイオード接続、すなわちドレインとゲートが接続されたＮ型ＭＯＳトランジスタであるリファレンス用トランジスタ２４と、第２の定電流源２３とインピーダンス素子２１の間に介装されリファレンス用トランジスタのゲート（制御端）にゲート（制御端）が接続されたＮ型ＭＯＳトランジスタであるセンス用トランジスタ２５と、を備える。また、電流方向検出回路１６は、第１及び第２の定電流源２２、２３とカレントミラー回路を構成してそれらの電流値を設定するＰ型ＭＯＳトランジスタ２６と、それに流れる電流を生成する定電流源２７と、を備える。そして、電流方向検出回路１６は、第２の定電流源２３とセンス用トランジスタ２５の間（節点Ｆ）の電圧を制御信号として出力し、接地側出力トランジスタ制御回路１７を介して接地側出力トランジスタ１２とモニタ用トランジスタ２０を制御する。
【００１８】
ここで、モニタ用トランジスタ２０は、接地側出力トランジスタ１２の電流値に比例した比較的少ない電流を流すため、接地側出力トランジスタ１２の所定値（Ｎ）分の１のサイズに設定されている。インピーダンス素子２１は、流れる電流に応じて電圧を生成する素子であり、例えば抵抗素子やオン抵抗を比較的高くしたＮ型ＭＯＳトランジスタなどが用いられる。第１の定電流源２２と第２の定電流源２３は等しい定電流ＩＲＥＦ（例えば１μＡ）を流す能力を有する。また、第１の定電流源２２とリファレンス用トランジスタ２４の接続点がハイレベルになるように、リファレンス用トランジスタ２４のサイズが設定されている。そして、リファレンス用トランジスタ２４とセンス用トランジスタ２５のサイズは等しくしてあり、節点Ｅの電圧ＶＥがほぼ接地電位以上であると節点Ｆ、すなわち電流方向検出回路１６が出力する制御信号の電圧ＶＦはハイレベルとなる。これに対し、節点Ｅの電圧ＶＥがほぼ接地電位よりも下がるとセンス用トランジスタ２５のオン抵抗は下がり、節点Ｆの電圧ＶＦはローレベルとなる。
【００１９】
節点Ｅの電圧が接地電位以上の場合とは、具体的には、モニタ用トランジスタ２０がオフとなっている場合とモニタ用トランジスタ２０がオンとなっていてかつ節点Ｄの電圧ＶＤが接地電位以上になっている場合である。モニタ用トランジスタ２０がオフとなっている場合は、インピーダンス素子２１（例えば１ＫΩ）に第２の定電流源２３から電流が流れようとするため、節点Ｅの電圧は接地電位から僅かに上昇する。また、モニタ用トランジスタ２０がオンとなっていてかつ節点Ｄの電圧ＶＤが接地電位以上になっている場合は、節点Ｄからモニタ用トランジスタ２０及びインピーダンス素子２１を通って電流が流れるため、節点Ｅの電圧ＶＥはモニタ用トランジスタ２０のオン抵抗とインピーダンス素子２１の抵抗で節点Ｄの電圧ＶＤを分割した値になる。一方、節点Ｅの電圧ＶＥが接地電位よりも下がる場合とは、具体的には、モニタ用トランジスタ２０がオンとなっていてかつ節点Ｄの電圧ＶＤが接地電位よりも下の電圧、すなわち負電圧になっている場合である。この場合は、接地電位からインピーダンス素子２１及びモニタ用トランジスタ２０を通って電流が流れるため、節点Ｅの電圧ＶＥはインピーダンス素子２１の抵抗とモニタ用トランジスタ２０のオン抵抗で節点Ｄの負電圧ＶＤを分割した値になる。
【００２０】
更に厳密には、モニタ用トランジスタ２０がオンとなっていてかつ節点Ｄが負電圧になっている場合であっても、その負電圧値が小さければ、節点Ｅの電圧ＶＥが接地電位以上の場合がある。すなわち、例えばモニタ用トランジスタ２０のオン抵抗値及びインピーダンス素子２１の抵抗値を共にＲと設定すると、節点Ｅの電圧ＶＥは、
ＶＥ＝（ＶＤ＋ＩＲＥＦ×Ｒ）／２
である。ＩＲＥＦは、前述の通り、第２の定電流源２３の定電流値である。ＶＤ＝−ＩＲＥＦ×ＲのときにＶＥがゼロとなるので、節点Ｄの電圧ＶＤが負であっても（ＩＲＥＦ×Ｒ）よりも小さければ、節点Ｅの電圧ＶＥが接地電位以上となる。このように、節点Ｄの電圧ＶＤが接地電位から負方向にオフセットを持って、電流方向検出回路１６により検出される。このオフセット値は、ＩＲＥＦ又はインピーダンス素子２１の抵抗値により調整することができる。これを利用して、接地側出力トランジスタ１２に逆方向電流が流れる少し前にそれを検出することができるが、このことは後述する。
【００２１】
次に、接地側出力トランジスタ制御回路１７を説明する。接地側出力トランジスタ制御回路１７は、レギュレータ制御回路１５の制御信号Ｂの反転信号と電流方向検出回路１６の制御信号Ｆを入力するＯＲ回路３０と、制御信号Ｂをセット入力端子Ｓに、ＯＲ回路３０の出力をリセット入力端子Ｒに入力し、非反転出力端子Ｑから出力するエッジ検出回路３１と、エッジ検出回路３１の電流能力を上げて出力するバッファ３２と、から構成される。エッジ検出回路３１は、セット入力端子Ｓの入力信号の立ち上がりエッジにより非反転出力端子Ｑからハイレベルを出力してその状態を維持し、リセット入力端子Ｒの入力信号の立ち上がりエッジにより非反転出力端子Ｑからローレベルを出力してその状態を維持する。
【００２２】
次に、スイッチングレギュレータ１の動作を電流方向検出回路１６の動作を中心に図２に基づいて説明する。同図において、ＶＢはレギュレータ制御回路１５の制御信号Ｂの電圧、ＶＣは接地側出力トランジスタ制御回路１７の出力信号Ｃの電圧、ＩＯは接地側出力トランジスタ１２に流れる電流、ＶＤは節点Ｄの電圧、ＶＥは節点Ｅの電圧、ＶＦは電流方向検出回路１６の制御信号Ｆの電圧、である。なお、図におけるＶＥの高さは拡大して示している。また、同図は負荷１４が軽い場合の波形であり、負荷１４が重い場合は省略している。
【００２３】
制御信号Ｂがローレベルの期間では、出力信号Ｃはローレベルであって接地側出力トランジスタ１２及びモニタ用トランジスタ２０をオフさせている。また、制御信号Ａもローレベルであって電源側出力トランジスタ１１はオンしている。従って、接地側出力トランジスタ１２に流れる電流ＩＯはゼロであり、節点Ｄの電圧ＶＤはハイレベルになっている。また、モニタ用トランジスタ２０がオフであるので、前述のように、節点Ｅの電圧ＶＥは接地電位から僅かに上昇し、節点Ｆの電圧ＶＦはハイレベルになっている。
【００２４】
制御信号Ｂがハイレベルになると、制御信号Ａもハイレベルになるので、電源側出力トランジスタ１１はオフする。そして、接地側出力トランジスタ制御回路１７は、制御信号Ｂの立ち上がりエッジを受けてハイレベルを出力し、接地側出力トランジスタ１２及びモニタ用トランジスタ２０をオンさせる。接地側出力トランジスタ１２のオンにより、先ず接地電位から節点Ｄに向けて正方向の電流ＩＯが流れる。このとき、節点Ｄの電圧ＶＤは、この電流ＩＯに接地側出力トランジスタ１２のオン抵抗を掛けた電圧分だけ接地電位より下がる。また、節点Ｅの電圧ＶＥも負電圧であり、節点Ｆの電圧ＶＦはローレベルになる。
【００２５】
その後、電流ＩＯは徐々に直線的に減少し、これに応じて節点Ｄの負の電圧ＶＤ及び節点Ｅの電圧ＶＥも徐々に直線的に上昇する。ここで、負荷１４が重い場合、電流ＩＯは減少し始める前の初期電流値が大きいために、それが逆方向電流になるまでにハイレベルの期間が経過して制御信号Ｂはローレベルに戻る（図示せず）。この場合、接地側出力トランジスタ制御回路１７は、入力した制御信号Ｂの立ち下がりエッジを受けてローレベルを出力し、接地側出力トランジスタ１２及びモニタ用トランジスタ２０をオフさせる（図示せず）。
【００２６】
これに対し、負荷１４が軽い場合は、制御信号Ｂのハイレベルの期間が経過するまでに接地側出力トランジスタ１２に流れる電流ＩＯは逆方向電流に、節点Ｄの電圧ＶＤは正電圧になろうとする。しかし、前述のように、節点Ｄの電圧ＶＤは接地電位から負方向にオフセットを持って、電流方向検出回路１６により検出される。つまり、電流方向検出回路１６は、電流ＩＯが逆方向になる少し前の状態を検出し、節点Ｆにハイレベルの制御信号を出力する。そして、接地側出力トランジスタ制御回路１７は、入力した電流方向検出回路１６の制御信号Ｆの立ち上がりエッジを受けてローレベルを出力し、接地側出力トランジスタ１２を強制的にオフさせる。すなわち、接地側出力トランジスタ制御回路１７は、レギュレータ制御回路１５の制御信号Ｂによりオンさせた後、電流方向検出回路１６の制御信号Ｆが一旦立ち上がると継続してオフさせるように接地側出力トランジスタ１２を制御するのである。
【００２７】
こうして、電流方向検出回路１６は、接地側出力トランジスタ１２に逆方向電流が流れる少し前にそれを検出することで、電流方向検出回路１６及び接地側出力トランジスタ制御回路１７による回路遅延を補償して電力損失を抑え、もって電力効率を高くすることができる。また、電流方向検出回路１６は、背景技術におけるスイッチングレギュレータ１０１に用いられる電流方向検出回路１１６に比べ、入力電圧の変動幅が小さくなるので簡単な回路構成であり、回路規模は小さくなる。
【００２８】
また、接地側出力トランジスタ１２が強制的にオフになると、節点Ｄの電圧ＶＤはリンギングを経て出力端子ＯＵＴの電圧レベルに収束して安定するが、このとき、接地側出力トランジスタ制御回路１７は電流方向検出回路１６の制御信号Ｆが一旦立ち上がると継続してオフさせるように接地側出力トランジスタ１２を制御しているので、背景技術におけるスイッチングレギュレータ１０１のように、リンギングにより電流方向検出回路１６が再び動作することはない。
【００２９】
なお、本発明の実施形態である電流方向検出回路は、スイッチングレギュレータのために案出したものであるが、コイルに電流を出力する接地側出力トランジスタを有する他の装置（例えばモータドライブ装置など）に用いることも可能である。
【図面の簡単な説明】
【００３０】
【図１】本発明の実施形態に係る電流方向検出回路及びそれを備えたスイッチングレギュレータの回路図。
【図２】同上の動作波形図。
【図３】背景技術におけるスイッチングレギュレータの回路図。
【図４】同上の動作波形図。
【符号の説明】
【００３１】
１  スイッチングレギュレータ
１１  電源側出力トランジスタ
１２  接地側出力トランジスタ
１３  平滑用回路
１４  負荷
１５  レギュレータ制御回路
１６  電流方向検出回路
１７  接地側出力トランジスタ制御回路
２０  モニタ用トランジスタ
２１  インピーダンス素子
２２  第１の定電流源
２３  第２の定電流源
２４  リファレンス用トランジスタ
２５  センス用トランジスタ
ＶＣＣ  入力電源
ＯＵＴ  出力端子
【図１】
2005237099.tif 000003
【図２】
2005237099.tif 000004
【図３】
2005237099.tif 000005
【図４】
2005237099.tif 000006